(57)【要約】      （修正有）【課題】色収差を補正し、ボケ像の周縁部に発生する色付きを軽減した高い光学性能を有し、小型で交換レンズに適した大口径の光学系を提供する。【解決手段】物体側から順に、正の屈折力を有する第１レンズ群Ｇ１と正の屈折力を有する第２レンズ群Ｇ２からなり、第１レンズ群は、物体側より1枚以上の正レンズと１枚の負の屈折力を有するレンズ成分からなり全体で正の屈折力を有する第１ａレンズ群Ｇ１ａと、負の屈折力を有する接合レンズ成分からなる第１ｂレンズ群Ｇ１ｂと、正の屈折力を有する第１ｃレンズ群Ｇ１ｃとからなり、第２レンズ群は、１枚以上の正レンズと負の屈折力を有する接合レンズ成分とからなる第２ａレンズ群Ｇ２ａと、開口絞りＳと、第２ｂレンズ群Ｇ２ｂとから構成され、無限遠から近距離物体へのフォーカシングに際し、第１レンズ群を像面に対し固定とし、第２レンズ群を光軸に沿って像面側から物体側へ移動し、特定の条件式を満足する。【選択図】図１
2019144477.tif 000002
【特許請求の範囲】
【請求項１】
物体側から順に、正の屈折力を有する第１レンズ群Ｇ１と正の屈折力を有する第２レンズ群Ｇ２からなり、
前記第１レンズ群Ｇ１は、物体側より1枚以上の凸レンズと１枚の凹レンズもしくは１つの接合凹レンズ成分からなり全体で正の屈折力を有する第１ａレンズ群Ｇ１ａと、負の屈折力を有する接合レンズ成分からなる第１ｂレンズ群Ｇ１ｂと、正の屈折力を有する第１ｃレンズ群Ｇ１ｃとからなり、
前記第２レンズ群Ｇ２は、１枚以上の凸レンズと負の屈折力を有する接合凹レンズ成分とからなる第２ａレンズ群Ｇ２ａと、開口絞りＳと、第２ｂレンズ群Ｇ２ｂとから構成され、
無限遠から近距離物体へのフォーカシングに際し、前記第１レンズ群Ｇ１を像面に対し固定とし、前記第２レンズ群Ｇ２を光軸に沿って像面側から物体側へ移動し、以下に対する条件式を満足することを特徴とする大口径レンズ。
（１）       −３．８＜ΦＧ１ｂ／ΦＧ１＜−０．５
（２）       ０．１８＜ΦＧ１／Φ＜０．５０
（３）       ３．０＜ΦＧ２／ΦＧ１＜７．５
（４）       ０．８＜νｄＬ１ｂｐ１×ΔＰｇＦＬ１ｂｐ１
ΦＧ１：第１レンズ群Ｇ１の屈折力
ΦＧ１ｂ：第１ｂレンズ群Ｇ１ｂの屈折力
ΦＧ２：第２レンズ群Ｇ２の屈折力
Φ：無限遠合焦時の全系の屈折力
νｄＬ１ｂｐ１：第１ｂレンズ群Ｇ１ｂを構成する凸レンズのうち屈折率が最も高いレンズのアッベ数
ΔＰｇＦＬ１ｂｐ１：第１ｂレンズ群Ｇ１ｂを構成する凸レンズのうち屈折率が最も高いレンズの異常分散性
【請求項２】
以下の条件式を満足することを特徴とする請求項１に記載の大口径レンズ。
（５）      ０．０１５＜ΔＰｇＦＧ１Ｐａｖｅ
（６）      ΔＰｇＦＧ１Ｎａｖｅ＜−０．００２０
ΔＰｇＦＧ１Ｎａｖｅ：第１レンズ群Ｇ１の凹レンズの異常分散性の平均値
ΔＰｇＦＧ１Ｐａｖｅ：第１レンズ群Ｇ１の凸レンズの異常分散性の平均値
【請求項３】
以下の条件式を満足することを特徴とする請求項１または請求項２に記載の大口径レンズ。
（７）       ０．０１０＜ΔＰｇＦＧ２ａＰａｖｅ
ΔＰｇＦＧ２ａＰａｖｅ：第２ａレンズ群Ｇ２ａの凸レンズの異常分散性の平均値
【請求項４】
以下の条件式を満足することを特徴とする請求項１から請求項３のいずれか一項に記載の大口径レンズ。
（８）       １．８５＜ＮｄＬ２ａｐ１
ＮｄＬ２ａｐ１：第２レンズ群Ｇ２を構成するレンズのうち最も物体側に位置する凸レンズの屈折率
【請求項５】
以下の条件式を満足することを特徴とする請求項１から請求項４のいずれか一項に記載の大口径レンズ。
（９）       ０．０２０＜ΔＰｇＦＬ２ａｐ１
ΔＰｇＦＬ２ａｐ１：第２レンズ群Ｇ２を構成するレンズのうち最も物体側に位置する凸レンズの異常分散性
【請求項６】
前記第２レンズ群Ｇ２は、少なくとも１枚の非球面レンズを有することを特徴とする請求項１から６のいずれか一項に記載の大口径レンズ。
【発明の詳細な説明】
【技術分野】
【０００１】
本発明は、特にデジタルカメラ、銀塩カメラ及びビデオカメラ等の撮影装置に好適な撮影レンズのうち、特に球面収差や軸上色収差等の諸収差を強く補正した大口径レンズに関するものである。
【背景技術】
【０００２】
近年、デジタルカメラをはじめとする撮影装置の高画素化に伴い、諸収差が十分良好に補正された高い光学性能を有する光学系が求められている。
【０００３】
特に、合焦部分の前後のボケを生かせる高い解像度の画像への要求が高まっており、そうした画像を得るため、Ｆ値が小さな大口径レンズの高性能化が図られている。
【０００４】
一般的に、光学系のＦ値を小さくし明るくしようとするほど諸収差が多く発生し、光学性能が低下する。特に標準域より望遠側の焦点域において明るい光学系を得ようとすると軸上色収差に起因する光学性能の低下が顕著となる。
【０００５】
軸上色収差の補正には、蛍石など正の異常分散性が大きい低屈折率低分散の光学材料を正の屈折力を有するレンズに使用することが一般的であるが、それだけではＦ値の小さい明るい光学系において色収差を十分に抑えることは困難である。
【０００６】
Ｆ値の小さい明るい光学系を実現する際には、各面の屈折力を大きくし、より強く光線を曲げて結像させなければならないが、その際に蛍石などの正の異常分散性が大きく低屈折率低分散の光学材料では所要の屈折力を得るためにさらに曲率を大きく変化する必要がある。そうするとレンズ面の屈折力を大きくした影響で球面収差、コマ収差、非点収差などの諸収差が悪化し、これらを補正するのが困難となる。
【先行技術文献】
【特許文献】
【０００７】
【特許文献１】特許第３２５４２３９号
【特許文献２】特開２０１６−２１２３４６
【特許文献３】特許第５３９５７００号
【発明の概要】
【発明が解決しようとする課題】
【０００８】
特許文献１記載の大口径レンズはフローティングフォーカスを行うことで、最短撮影倍率が−１／７倍程度の近距離物体までフォーカシング時の性能変動を抑制している。しかしながら、レンズ系全体を光軸に沿って繰出しながらフォーカシングを行うため、オートフォーカスで駆動させる重量が増加するためフォーカシングの高速化が困難である、という課題がある。
【０００９】
特許文献２記載の大口径レンズは３群構成で、１群と３群を固定し、２群によるインナーフォーカスを採用することでオートフォーカスの高速化を実現している。しかしながら、色収差の補正が十分でなく、またＦ値がＦ１．８程度と暗い、という課題がある。
【００１０】
特許文献３記載の大口径レンズは、リアフォーカス方式を採用し、オートフォーカスの高速化と諸収差の良好な補正を行っている。しかしながら、軸上色収差が十分に補正されていないため、ハイコントラストな被写体を撮影した場合、ボケの周縁部に色つきが発生する、という課題がある。
【００１１】
本発明はこのような状況に鑑みてなされたものであり、諸収差、特に色収差を強く補正し、画面全域で良好な画質を得ることに加え、ボケ像の周縁部に発生する色付きを軽減した高い光学性能を有し、かつオートフォーカス機構を省略することなく製品の小型化を達成し、サイズが交換レンズに適した大口径の光学系を提供することを目的とする。
【課題を解決するための手段】
【００１２】
前述の課題を解決するための第１の発明は、物体側から順に、正の屈折力を有する第１レンズ群Ｇ１と正の屈折力を有する第２レンズ群Ｇ２からなり、前記第１レンズ群Ｇ１は、物体側より1枚以上の凸レンズと１枚の凹レンズもしくは１つの接合凹レンズ成分からなり全体で正の屈折力を有する第１ａレンズ群Ｇ１ａと、負の屈折力を有する接合レンズ成分からなる第１ｂレンズ群Ｇ１ｂと、正の屈折力を有する第１ｃレンズ群Ｇ１ｃとからなり、前記第２レンズ群Ｇ２は、１枚以上の凸レンズと負の屈折力を有する接合凹レンズ成分とからなる第２ａレンズ群Ｇ２ａと、開口絞りＳと、第２ｂレンズ群Ｇ２ｂとから構成され、無限遠から近距離物体へのフォーカシングに際し、前記第１レンズ群Ｇ１を像面に対し固定とし、前記第２レンズ群Ｇ２を光軸に沿って像面側から物体側へ移動し、以下に対する条件式を満足することを特徴とする大口径レンズ。
（１）       −３．８＜ΦＧ１ｂ／ΦＧ１＜−０．５
（２）       ０．１８＜ΦＧ１／Φ＜０．５０
（３）       ３．０＜ΦＧ２／ΦＧ１＜７．５
（４）       ０．８＜νｄＬ１ｂｐ１×ΔＰｇＦＬ１ｂｐ１
ΦＧ１：第１レンズ群Ｇ１の屈折力
ΦＧ１ｂ：第１ｂレンズ群Ｇ１ｂの屈折力
ΦＧ２：第２レンズ群Ｇ２の屈折力
Φ：無限遠合焦時の全系の屈折力
νｄＬ１ｂｐ１：第１ｂレンズ群Ｇ１ｂを構成する凸レンズのうち屈折率が最も高いレンズのアッベ数
ΔＰｇＦＬ１ｂｐ１：第１ｂレンズ群Ｇ１ｂを構成する凸レンズのうち屈折率が最も高いレンズの異常分散性
【００１３】
第２の発明は、以下の条件式を満足することを特徴とする第１の発明に記載された大口径レンズ。
（５）      ０．０１５＜ΔＰｇＦＧ１Ｐａｖｅ
（６）      ΔＰｇＦＧ１Ｎａｖｅ＜−０．００２０
ΔＰｇＦＧ１Ｎａｖｅ：第１レンズ群Ｇ１の凹レンズの異常分散性の平均値
ΔＰｇＦＧ１Ｐａｖｅ：第１レンズ群Ｇ１の凸レンズの異常分散性の平均値
【００１４】
第３の発明は、以下の条件式を満足することを特徴とする第１の発明または第２の発明に記載の大口径レンズ。
（７）       ０．０１０＜ΔＰｇＦＧ２ａＰａｖｅ
ΔＰｇＦＧ２ａＰａｖｅ：第２ａレンズ群Ｇ２ａの凸レンズの異常分散性の平均値
【００１５】
第４の発明は、以下の条件式を満足することを特徴とする第１の発明乃至第３の発明のいずれかに記載の大口径レンズ。
（８）       １．８５＜ＮｄＬ２ａｐ１
ＮｄＬ２ａｐ１：第２レンズ群Ｇ２を構成するレンズのうち最も物体側に位置する凸レンズの屈折率
【００１６】
第５の発明は、以下の条件式を満足することを特徴とする第１の発明乃至第４の発明のいずれかに記載の大口径レンズ。
（９）       ０．０２０＜ΔＰｇＦＬ２ａｐ１
ΔＰｇＦＬ２ａｐ１：第２レンズ群Ｇ２を構成するレンズのうち最も物体側に位置する凸レンズの異常分散性
【００１７】
第６の発明は、第２レンズ群Ｇ２は、少なくとも１枚の非球面レンズを有することを特徴とする第１の発明乃至第５の発明のいずれかに記載の大口径レンズ。
【発明の効果】
【００１８】
本発明は、上記条件を満足することで、諸収差、特に色収差を強く補正し、画面全域で良好な画質を得ることに加え、ボケ像の周縁部に発生する色付きを軽減した高い光学性能を有し、かつオートフォーカス機構を省略することなく製品の小型化を達成し、サイズが交換レンズに適した大口径の光学系を提供することが可能となる。
【図面の簡単な説明】
【００１９】
【図１】本発明の実施例１に係る無限遠合焦時のレンズ構成図である。
【図２】本発明の実施例１に係る無限遠合焦時の縦収差図である。
【図３】本発明の実施例１に係る撮影距離９９９ｍｍにおける縦収差図である。
【図４】本発明の実施例１に係る無限遠合焦時の横収差図である。
【図５】本発明の実施例１に係る撮影距離９９９ｍｍにおける横収差図である。
【図６】本発明の実施例２に係る無限遠合焦時のレンズ構成図である。
【図７】本発明の実施例２に係る無限遠合焦時の縦収差図である。
【図８】本発明の実施例２に係る撮影距離９９５ｍｍにおける縦収差図である。
【図９】本発明の実施例２に係る無限遠合焦時の横収差図である。
【図１０】本発明の実施例２に係る撮影距離９９５ｍｍにおける横収差図である。
【図１１】本発明の実施例３に係る無限遠合焦時のレンズ構成図である。
【図１２】本発明の実施例３に係る無限遠合焦時の縦収差図である。
【図１３】本発明の実施例３に係る撮影距離９９４ｍｍにおける縦収差図である。
【図１４】本発明の実施例３に係る無限遠合焦時の横収差図である。
【図１５】本発明の実施例３に係る撮影距離９９４ｍｍにおける横収差図である。
【図１６】本発明の実施例４に係る無限遠合焦時のレンズ構成図である。
【図１７】本発明の実施例４に係る無限遠合焦時の縦収差図である。
【図１８】本発明の実施例４に係る撮影距離９９７ｍｍにおける縦収差図である。
【図１９】本発明の実施例４に係る無限遠合焦時の横収差図である。
【図２０】本発明の実施例４に係る撮影距離９９７ｍｍにおける横収差図である。
【図２１】本発明の実施例５に係る無限遠合焦時のレンズ構成図である。
【図２２】本発明の実施例５に係る無限遠合焦時の縦収差図である。
【図２３】本発明の実施例５に係る撮影距離９９５ｍｍにおける縦収差図である。
【図２４】本発明の実施例５に係る無限遠合焦時の横収差図である。
【図２５】本発明の実施例５に係る撮影距離９９５ｍｍにおける横収差図である。
【図２６】本発明の実施例６に係る無限遠合焦時のレンズ構成図である。
【図２７】本発明の実施例６に係る無限遠合焦時の縦収差図である。
【図２８】本発明の実施例６に係る撮影距離１００１ｍｍにおける縦収差図である。
【図２９】本発明の実施例６に係る無限遠合焦時の横収差図である。
【図３０】本発明の実施例６に係る撮影距離１００１ｍｍにおける横収差図である。
【図３１】本発明の実施例７に係る無限遠合焦時のレンズ構成図である。
【図３２】本発明の実施例７に係る無限遠合焦時の縦収差図である。
【図３３】本発明の実施例７に係る撮影距離９９９ｍｍにおける縦収差図である。
【図３４】本発明の実施例７に係る無限遠合焦時の横収差図である。
【図３５】本発明の実施例７に係る撮影距離９９９ｍｍにおける横収差図である。
【図３６】本発明の実施例８に係る無限遠合焦時のレンズ構成図である。
【図３７】本発明の実施例８に係る無限遠合焦時の縦収差図である。
【図３８】本発明の実施例８に係る撮影距離１０００ｍｍにおける縦収差図である。
【図３９】本発明の実施例８に係る無限遠合焦時の横収差図である。
【図４０】本発明の実施例８に係る撮影距離１０００ｍｍにおける横収差図である。
【発明を実施するための形態】
【００２０】
以下本発明の実施形態に係る大口径レンズについて説明する。なお、ｇ線（波長４３５．８４ｎｍ），Ｆ線（４８６．１３ｎｍ），ｄ線（５８７．５６ｎｍ），Ｃ線（６５６．２７ｎｍ）に対する材料の屈折率をそれぞれＮｇ，ＮＦ，Ｎｄ，ＮＣとする。そしてアッベ数νｄ、部分分散比ＰｇＦ、異常部分分散性ΔＰｇＦを、
νｄ  ＝  （Ｎｄ−１）／（ＮＦ−ＮＣ）
ＰｇＦ  ＝  （Ｎｇ−ＮＦ）／（ＮＦ−ＮＣ）
ΔＰｇＦ  ＝  ＰｇＦ−０．６４８３３＋０．００１８０×νｄ
として表す。
【００２１】
各実施例の光学系は物体側から順に、正の屈折力を有する第１レンズ群Ｇ１と正の屈折力を有する第２レンズ群Ｇ２からなり、前記第１レンズ群Ｇ１は、物体側より1枚以上の凸レンズと１枚の凹レンズもしくは１つの接合凹レンズ成分からなり全体で正の屈折力を有する第１ａレンズ群Ｇ１ａと、負の屈折力を有する接合レンズ成分からなる第１ｂレンズ群Ｇ１ｂと、正の屈折力を有する第１ｃレンズ群Ｇ１ｃとからなり、前記第２レンズ群Ｇ２は、１枚以上の凸レンズと負の屈折力を有する接合凹レンズ成分とからなる第２ａレンズ群Ｇ２ａと、開口絞りＳと、第２ｂレンズ群Ｇ２ｂとから構成され、無限遠から近距離物体へのフォーカシングに際し、前記第１レンズ群Ｇ１を像面に対し固定とし、前記第２レンズ群Ｇ２を光軸に沿って像面側から物体側へ移動し、以下に対する条件式を満足することを特徴とする。
（１）       −３．８＜ΦＧ１ｂ／ΦＧ１＜−０．５
（２）       ０．１８＜ΦＧ１／Φ＜０．５０
（３）       ３．０＜ΦＧ２／ΦＧ１＜７．５
（４）       ０．８＜νｄＬ１ｂｐ１×ΔＰｇＦＬ１ｂｐ１
ΦＧ１：第１レンズ群Ｇ１の屈折力
ΦＧ１ｂ：第１ｂレンズ群Ｇ１ｂの屈折力
ΦＧ２：第２レンズ群Ｇ２の屈折力
Φ：無限遠合焦時の全系の屈折力
νｄＬ１ｂｐ１：第１ｂレンズ群Ｇ１ｂを構成する凸レンズのうち屈折率が最も高いレンズのアッベ数
ΔＰｇＦＬ１ｂｐ１：第１ｂレンズ群Ｇ１ｂを構成する凸レンズのうち屈折率が最も高いレンズの異常分散性
【００２２】
前記レンズ構成において、近距離へのフォーカシングに際して、比較的レンズ径と重量の大きい前記第１レンズ群Ｇ１は像面に対し固定で、比較的レンズ径と重量の小さな前記第２レンズ群Ｇ２を光軸に沿って動かすため、フォーカシングの高速化と、機構の単純化を容易に行うことが可能となる。
【００２３】
望遠系のレンズにおいて色収差を補正するためには蛍石などの低屈折率低分散で正の異常分散性の大きい光学材料を凸レンズに使用するのが一般的であるが、そのような光学材料を凸レンズに多用した光学系ではペッツバール和の悪化につながり、像面湾曲が増大し光学性能が低下する。そこで本発明では、負の屈折力を有する部分群を配置してその部分群内の凸レンズに低屈折率低分散で正の異常分散性の大きい光学材料を配置することで色収差の補正とペッツバール和の補正を両立させた。その部分群の屈折力について規定したのが条件式（１）である。条件式（１）を満たすことで、前記部分群内の凸レンズに低屈折率低分散の光学材料を使用してもペッツバール和の補正が可能となり、色収差の補正とペッツバール和の補正が両立し光学性能の向上に寄与する。
【００２４】
条件式（１）の下限値を超えて第１ｂレンズ群Ｇ１ｂの負の屈折力が強くなると、それを補正するためには第１ｃレンズ群の正の屈折力を強くする必要が生じ、球面収差、非点収差など諸収差が悪化する。
【００２５】
条件式（１）の上限値を超えて第１ｂレンズ群Ｇ１ｂの負の屈折力が弱くなると、全系のペッツバール和の悪化につながり、それを補正するためには第１ｂレンズ群を構成している凹レンズの光学材料はより低屈折率側を、凸レンズの光学材料はより高屈折率側を選択する必要が生じ、特に凸レンズに正の異常分散性の大きい低屈折率低分散の光学材料が使用出来なくなるため、色収差の悪化につながる。
【００２６】
尚、条件式（１）について、上記の効果をより確実にするため、上限値を−０．６に、また、下限値を−３．１に規定することで、前述の効果をより確実にすることができる。
【００２７】
条件式（２）は、小型化と高性能化を両立させるために、無限遠合焦時の全系の屈折力と第１レンズ群Ｇ１の屈折力の比を規定したものである。条件式（２）を満たすことで光学系の小型化と高性能化を両立させることに寄与する。
【００２８】
条件式（２）の下限値を超えて、無限遠合焦時の全系の屈折力に対し第１レンズ群Ｇ１の正の屈折力が弱くなると光学系の全長が伸び、それに伴って第１レンズ群Ｇ１の光学系が肥大化するため、小型化、軽量化が困難になる。
【００２９】
条件式（２）の上限値を超えて、無限遠合焦時の全系の屈折力に対し第１レンズ群Ｇ１の正の屈折力が強くなると、第１レンズ群自身のＦ値が小さくなるため、第１レンズ群の収差補正が困難になる。さらに全系の屈折力を維持するには、第２レンズ群の結像倍率を大きくせねばならず、第１レンズ群の残存収差をさらに増大させることになる。そのため、全系での球面収差、非点収差、コマ収差などの諸収差の補正が困難になる。
【００３０】
尚、条件式（２）について、上記の効果をより確実にするため、上限値を０．３５に、また、下限値を０．２０に規定することで、前述の効果をより確実にすることができる。
【００３１】
条件式（３）は、小型化と高性能化を両立させるために、第１レンズ群Ｇ１と第２レンズ群Ｇ２の屈折力の比を規定したものである。条件式（３）を満たすことで光学系の小型化と高性能化を両立させることに寄与する。
【００３２】
条件式（３）の下限値を超えて、第２レンズ群Ｇ２の正の屈折力が弱くなると、バックフォーカスの確保が困難になり、特に一眼レフカメラ用に本光学系を適用する際、クイックリターンミラーとの干渉を防ぐことが出来なくなる。
【００３３】
条件式（３）の上限値を超えて、第１レンズ群Ｇ１の正の屈折力が弱くなると光学系の全長が伸び、それに伴って第１レンズ群Ｇ１の光学系が肥大化するため、小型化、軽量化が困難になる。
【００３４】
なお、条件式（３）について、上記の効果をより確実にするため、上限値を６．８に、また、下限値を３．３に規定することで、前述の効果をより確実にすることができる。
【００３５】
条件式（４）は、色収差を効果的に補正するために、第１ｂレンズ群を構成する凸レンズのうち最も屈折率が高いレンズのアッベ数と異常分散性の関係を規定したものである。この数値が大きいほど低分散で正の異常分散性が大きい光学材料であることを示すので、接合レンズの凸レンズに使用した場合、色収差、特に２次スペクトルの補正に有効である。条件式（４）を満たすことで、光学系の高性能化に寄与する。
【００３６】
条件式（４）の下限値を超えて第１ｂレンズ群を構成する凸レンズのうち最も屈折率が高いレンズのアッベ数が小さくなり、異常分散性が小さくなると、色収差の補正効果が乏しくなり、特に負の異常分散性を持つ光学材料を使用した場合には２次スペクトルの補正が困難になり光学性能が低下する。
【００３７】
尚、条件式（４）の値が１．２以上であればその効果はより確実なものとなる。
【００３８】
また、本発明の大口径レンズは、以下の条件式を満足することを特徴とする。
（５）       ０．０１５＜ΔＰｇＦＧ１Ｐａｖｅ
（６）       ΔＰｇＦＧ１Ｎａｖｅ＜−０．００２０
ΔＰｇＦＧ１Ｐａｖｅ：第１レンズ群Ｇ１の凸レンズの異常分散性の平均値
ΔＰｇＦＧ１Ｎａｖｅ：第１レンズ群Ｇ１の凹レンズの異常分散性の平均値
【００３９】
標準域から望遠側のＦ値の小さい明るい光学系では軸上色収差に起因する光学性能の低下が特に問題となる。また１次色収差の補正だけでは不十分で２次スペクトルの補正が十分でないとボケ像の縁に色付きが発生したり、高輝度の被写体の縁にパープルフリンジが発生したりする原因となる。２次スペクトルの補正には１次色収差を十分補正した上で、各々の異常分散性を考慮して適切に光学材料を選択して配置することが重要である。
【００４０】
条件式（５）は第１レンズ群Ｇ１を構成する凸レンズの異常分散性の平均値について規定したものである。凸レンズは正の異常分散性が大きい光学材料を使用することにより効果的に２次スペクトルの補正が可能となる。条件式（５）を満たすことで、光学性能の高性能化に寄与する。
【００４１】
条件式（５）の下限値を超えて第１レンズ群Ｇ１の凸レンズの異常分散性の平均値が小さくなると、２次スペクトルの補正が困難になり光学性能が低下する。
【００４２】
尚、条件式（５）の値が０．０２以上であればその効果はより確実なものとなる。
【００４３】
条件式（５）で示したように凸レンズに正の異常分散性が大きい光学材料を使用すると２次スペクトルの補正が可能となるが、本発明で示すような特にＦ値が小さく明るい望遠系の光学系ではそれだけでは２次スペクトルの補正が不十分である。正の異常分散性の大きい光学材料を用いた凸レンズに頼った２次スペクトルの補正を行うと、凸レンズの枚数を増やさざるを得なくなり、光学系が大型化するだけでなく、全系のペッツバール和の悪化にもつながり、像面湾曲の補正が困難となり光学性能の悪化につながる。
【００４４】
そこで、第１レンズ群Ｇ１を構成する凹レンズに対して、負の異常分散性が大きい光学材料を使うことで全系のペッツバール和の悪化を最小限に抑えつつ、効果的な２次スペクトルの補正が可能となる。
【００４５】
条件式（６）は第１レンズ群Ｇ１の凹レンズの異常分散性の平均値について規定したものである。凹レンズは負の異常分散性が大きい光学材料を使用することにより効果的に２次スペクトルの補正が可能となる。条件式（６）を満たすことで、光学性能の高性能化に寄与する。
【００４６】
条件式（６）の上限値を超えて、第１レンズ群Ｇ１の凹レンズの異常分散性の平均値が大きくなると、２次スペクトルの補正が困難になり光学性能が低下する。
【００４７】
尚、条件式（６）の値が−０．００３０以下であればその効果はより確実なものとなる。
【００４８】
また、本発明の大口径レンズは、以下の条件式を満足することを特徴とする。
（７）０．０１０＜ΔＰｇＦＧ２ａＰａｖｅ
ΔＰｇＦＧ２ａＰａｖｅ：第２ａレンズ群Ｇ２ａの凸レンズの異常分散性の平均値
【００４９】
前記の通り第１レンズ群Ｇ１の各々のレンズについて異常分散性を考慮した光学材料を選択することで軸上色収差、特に２次スペクトルの補正が可能となる。しかし、本発明で示すような特にＦ値が小さく明るい望遠系の光学系では、２次スペクトルの補正が不十分である。無限遠から近距離への合焦時に可動する第２ａレンズ群Ｇ２ａの各々のレンズについても異常分散性を考慮した光学材料を選択する必要がある。それについて条件式（７）で規定する。
【００５０】
条件式（７）は第２ａレンズ群Ｇ２ａの凸レンズの異常分散性の平均値について規定したものである。第２ａレンズ群Ｇ２ａの凸レンズに正の異常分散性が大きい光学材料を使用することにより効果的に２次スペクトルが補正出来る。条件式（７）を満たすことで、軸上色収差の補正に寄与する。
【００５１】
条件式（７）の下限値を超え、第２ａレンズ群Ｇ２ａの凸レンズの異常分散性が小さくなると、２次スペクトルの十分な補正が困難となる。
【００５２】
尚、条件式（７）の値が０．０１４以上であればその効果はより確実なものとなる。
【００５３】
また、本発明の大口径レンズは、以下の条件式を満足することを特徴とする。
（８）１．８５＜ＮｄＬ２ａｐ１
ＮｄＬ２ａｐ１：第２レンズ群Ｇ２を構成するレンズのうち最も物体側に位置する凸レンズの屈折率
【００５４】
条件式（８）は第２レンズ群Ｇ２を構成するレンズのうち最も物体側に位置する凸レンズの屈折率を規定したものである。第２レンズ群Ｇ２は無限遠から近距離物体へ合焦時に移動するフォーカス群であり、実用的なレンズ鏡筒のサイズでオートフォーカスや自動絞りを実現させるためにはフォーカス群の小型化が必須である。特に絞りより像側のレンズについてはカメラマウントによって径が制限されるので一層の小型化が必要になる。第２レンズ群Ｇ２を構成するレンズのうち最も物体側に位置する凸レンズに高屈折率材料を使用することによって非点収差、像面湾曲の補正とフォーカス群の小型化の両立が可能となる。条件式（８）を満たすことで、収差を良好に補正しつつ、製品の小型化に寄与する。
【００５５】
条件式（８）の下限値を超えて、第２レンズ群Ｇ２を構成するレンズのうち最も物体側に位置する凸レンズの屈折率が低くなると、ペッツバール和が悪化し、非点収差、像面湾曲の補正が困難になる。
【００５６】
尚、条件式（８）の値が１．９０以上であればその効果はより確実なものとなる。
【００５７】
また、本発明の大口径レンズは、以下の条件式を満足することを特徴とする。
（９）０．０２０＜ΔＰｇＦＬ２ａｐ１
ΔＰｇＦＬ２ａｐ１：第２レンズ群Ｇ２を構成するレンズのうち最も物体側に位置する凸レンズの異常分散性
【００５８】
条件式（９）は第２レンズ群Ｇ２を構成するレンズのうち最も物体側に位置する凸レンズの異常分散性について規定したものである。条件式（８）で第２レンズ群Ｇ２を構成するレンズのうち最も物体側に位置する凸レンズについて、非点収差、像面湾曲の補正を容易にするため高屈折率の光学材料が有効であることを示したが、一方で第２レンズ群Ｇ２を構成するレンズのうち最も物体側に位置する凸レンズが１．９０程度以上の屈折率を持つ光学材料でも正の異常分散性が比較的小さいものが存在し、そのような光学材料を使用した場合、２次スペクトルの補正が不十分になる。２次スペクトルが、十分に補正されるには正の異常分散性が大きい光学材料が適している。条件式（９）は、これを規定したものである。条件式（９）を満たすことで、軸上色収差の補正に寄与する。
【００５９】
条件式（９）の下限値を超え、第２レンズ群Ｇ２を構成するレンズのうち最も物体側に位置する凸レンズの異常分散性が小さくなると、２次スペクトルの十分な補正が困難となる。
【００６０】
尚、条件式（９）の値が０．０２５以上であればその効果はより確実なものとなる。
【００６１】
本発明の大口径レンズにおいてその光学性能の向上を図るために、第２レンズ群Ｇ２に少なくとも１枚以上の非球面レンズを採用することが望ましい。
【００６２】
この非球面レンズは球面収差の補正を目的として配置することが望ましい。非球面レンズを採用することにより、正の屈折力で発生する球面収差を負の屈折力で補正する際、収差補正の負担を減少させることができる。
【００６３】
その結果、正の屈折力で発生する球面収差を補正するための負の屈折力を弱くすることができ、前記第２ｂレンズ群Ｇ２ｂの最も物体側の凹面の曲率を緩くすることができるため、サジタルコマフレアの発生を抑えることが可能となる。
【００６４】
尚、この非球面レンズは絞りより像側に配置するとなお良い。絞りより物体側では軸上光線高が高いために大口径な非球面レンズが必要になり、加工コストの増大を招き好ましくない。この非球面レンズを絞りより像側に配置すればレンズの径を小さく出来るので、加工性の点から有利である。
【００６５】
また、この非球面は正の屈折力で発生する球面収差の補正を行なうため、光軸から離れるにしたがって正の屈折力を弱める非球面か、光軸から離れるにしたがって負の屈折力を強める非球面とすることが好ましい。
【００６６】
次に、本発明の結像光学系に係る実施例のレンズ構成について説明する。
なお、以下の説明ではレンズ構成を物体側から像側の順番で記載する。
【００６７】
［面データ］において、面番号は物体側から数えたレンズ面または開口絞りの番号、ｒは各レンズ面の曲率半径、ｄは各レンズ面の間隔、ｎｄはｄ線（波長５８７．５６ｎｍ）に対する屈折率、ｖｄはｄ線に対するアッベ数、PｇＦは部分分散比を示している。
【００６８】
面番号に付した＊（アスタリスク）は、そのレンズ面形状が非球面であることを示している。また、ＢＦはバックフォーカスを表している。
【００６９】
面番号に付した（絞り）は、その位置に開口絞りが位置していることを示している。平面または開口絞りに対する曲率半径には∞（無限大）を記入している。
【００７０】
［非球面データ］には、［面データ］において＊を付したレンズ面の非球面形状を与える各係数の値を示している。非球面の形状は、下記の式で表される。以下の式において、光軸に直交する方向への光軸からの変位をｙ、非球面と光軸の交点から光軸方向への変位（サグ量）をｚ、基準球面の曲率半径をｒ、コーニック係数をＫで表している。また、４、６、８次の非球面係数をそれぞれＡ４、Ａ６、Ａ８で表している。
【００７１】
2019144477.tif 000003
【００７２】
［各種データ］には、無限遠合焦時における焦点距離等の値を示している。
【００７３】
［可変間隔データ］には、各撮影距離状態における可変間隔及びＢＦの値を示している。
【００７４】
［レンズ群データ］には、各レンズ群を構成する最も物体側のレンズ面番号及びレンズ群全体の合成焦点距離を示している。
【００７５】
尚、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同様の光学性能が得られるので、これに限られるものではない。
【実施例１】
【００７６】
図１は、実施例１に係る大口径レンズの無限遠合焦時のレンズ構成図である。
【００７７】
図１の大口径レンズは、無限遠物体から近距離物体へのフォーカシングの際に、像面に対し固定の正の屈折力を有する第１レンズ群Ｇ１とフォーカシングの際に像面側から物体側へ移動する正の屈折力を有する第２レンズ群Ｇ２から構成される。
【００７８】
第１レンズ群Ｇ１は、物体側から正の屈折力を有する第１ａレンズ群Ｇ１ａ、負の屈折力を有する第１ｂレンズ群Ｇ１ｂ、正の屈折力を有する第１ｃレンズ群Ｇ１ｃから構成される。
【００７９】
第１ａレンズ群Ｇ１ａは、物体側から、物体側に凸面を向けた正メニスカスレンズ３枚と物体側に凸面を向けた凹レンズから構成される。
【００８０】
第１ｂレンズ群Ｇ１ｂは物体側に凹面を向け、負の屈折力を有する接合レンズから構成される。
【００８１】
第１ｃレンズ群Ｇ１ｃは、物体側に凸面を向け、正の屈折力を有する接合レンズから構成される。
【００８２】
第２レンズ群Ｇ２は、物体側から正の屈折力を有する第２ａレンズ群Ｇ２ａ、開口絞りＳ、正の屈折力を有する第２ｂレンズ群Ｇ２ｂから構成される。
【００８３】
第２ａレンズ群Ｇ２ａは物体側から、物体面に凸面を向けた正メニスカスレンズ２枚と、物体側に凸面を向けた負の屈折力を有する接合レンズから構成される。
【００８４】
第２ｂレンズ群Ｇ２ｂは物体側から、物体側に凹面を向けた負の屈折力を有する接合レンズ２枚と、両レンズ面が非球面形状である両凸レンズから構成される。
【００８５】
続いて、以下に実施例１に係る大口径レンズの諸元値を示す。
数値実施例1
単位：mm
[面データ]
面番号          r           d       nd      vd     PgF
物面              ∞     (d0)
1          115.7436   5.4407  1.65844   50.85  0.5575
2          180.1804   0.3000
3           74.5000   6.0183  1.43700   95.10  0.5334
4          100.3863   0.3000
5           63.4310  12.3856  1.43700   95.10  0.5334
6          249.4535   2.9002
7          216.1665   2.2000  1.61310   44.36  0.5604
8           49.5173  15.8891
9         -248.4001   4.6130  1.43700   95.10  0.5334
10         -95.8446   1.8000  1.61340   44.27  0.5633
11        -500.0000   1.0000
12          67.9843  10.4346  1.83481   42.72  0.5648
13        -211.9683   1.8000  1.61340   44.27  0.5633
14          67.2983    (d14)
15          53.7906   4.5962  1.92286   20.88  0.6388
16          94.6373   0.3000
17          46.5373   4.1734  1.61997   63.88  0.5425
18          66.7867   0.3000
19          40.7185   6.9541  1.59282   68.63  0.5441
20         275.0000   1.3000  1.85478   24.80  0.6122
21          28.4253   7.5444
（絞り）            ∞   5.4041
23         -50.8188   0.9000  1.65412   39.68  0.5737
24          29.5160   7.5115  1.87071   40.73  0.5682
25        -196.5287   2.2670
26         -76.2095   3.5767  1.91082   35.25  0.5821
27         -35.1809   0.9000  1.64769   33.84  0.5923
28         124.7179   0.3000
29*          68.8532   4.9326  1.84915   40.00  0.5694
30*         -92.2688   （d30）
31               ∞   1.4500  1.52301   58.59  0.5449
32               ∞       BF
[非球面データ]
29面         30面
K                  0            0
A4      -1.27386E-06   1.98113E-06
A6      -1.15209E-10   1.20129E-10
A8                 0   1.65076E-12
[各種データ]
INF
焦点距離       101.85
Fナンバ          1.46
全画角2ω       23.85
像高Y          21.63
レンズ全長     171.92
[可変間隔データ]
撮影距離         INF       999
d0              ∞   826.8724
d14         15.8705     3.0000
ｄ30        37.5626    50.4932
BF          1.0000     1.0000
[レンズ群データ]
群        始面       焦点距離
G1         1          334.47
G2         15          90.25
G1a         1         1015.80
G1b         9         -421.69
G1c         12         203.76
G2a         15         355.09
G2b         23          83.54
【実施例２】
【００８６】
図６は、実施例２に係る大口径レンズの無限遠合焦時のレンズ構成図である。
【００８７】
図６の大口径レンズは、無限遠物体から近距離物体へのフォーカシングの際に、像面に対し固定の正の屈折力を有する第１レンズ群Ｇ１とフォーカシングの際に像面側から物体側へ移動する正の屈折力を有する第２レンズ群Ｇ２から構成される。
【００８８】
第１レンズ群Ｇ１は、物体側から正の屈折力を有する第１ａレンズ群Ｇ１ａ、負の屈折力を有する第１ｂレンズ群Ｇ１ｂ、正の屈折力を有する第１ｃレンズ群Ｇ１ｃから構成される。
【００８９】
第１ａレンズ群Ｇ１ａは、物体側から、物体側に凸面を向けた正メニスカスレンズ２枚と物体側に凸面を向けた負の屈折力を有する接合レンズから構成される。
【００９０】
第１ｂレンズ群Ｇ１ｂは物体側に凹面を向け、負の屈折力を有する接合レンズから構成される。
【００９１】
第１ｃレンズ群Ｇ１ｃは、物体側に凸面を向け、正の屈折力を有する接合レンズから構成される。
【００９２】
第２レンズ群Ｇ２は、物体側から正の屈折力を有する第２ａレンズ群Ｇ２ａ、開口絞りＳ、正の屈折力を有する第２ｂレンズ群Ｇ２ｂから構成される。
【００９３】
第２ａレンズ群Ｇ２ａは物体側から、物体面に凸面を向けた正メニスカスレンズ２枚と、物体側に凸面を向けた負の屈折力を有する接合レンズから構成される。
【００９４】
第２ｂレンズ群Ｇ２ｂは物体側から、物体側に凹面を向けた負の屈折力を有する接合レンズ２枚と、両レンズ面が非球面形状である両凸レンズから構成される。
【００９５】
続いて、以下に実施例２に係る大口径レンズの諸言値を示す。
数値実施例2
単位：mm
[面データ]
面番号           r         d      nd      vd     PgF
物面            ∞      (d0)
1       148.8937    6.3628  1.65844   50.85  0.5575
2       400.8029    0.3000
3        88.8052    7.7121  1.43700   95.10  0.5334
4       186.3141    0.3000
5        63.4922   10.2180  1.43700   95.10  0.5334
6       179.5482    3.1552  1.61340   44.27  0.5633
7        53.6846   13.1608
8     -2496.1579    4.3228  1.43700   95.10  0.5334
9      -155.5309    1.8000  1.61340   44.27  0.5633
10        96.9720    1.0000
11        67.3521    9.7521  1.83481   42.72  0.5648
12      -262.9426    1.8000  1.61340   44.27  0.5633
13        87.8711     (d13)
14        55.9775    4.3603  1.92286   20.88  0.6388
15        94.4046    0.3000
16        51.4948    4.2937  1.55032   75.50  0.5400
17        81.4925    0.3000
18        40.6596    7.9142  1.59282   68.63  0.5441
19     -3711.1109    1.3000  1.74077   27.76  0.6076
20        27.5023    7.7790
（絞り）         ∞     4.3136
22       -57.0428    0.9000  1.65412   39.68  0.5737
23        27.2148    7.7486  1.87071   40.73  0.5682
24      -358.4172    2.5557
25       -76.1439    2.9982  1.91082   35.25  0.5821
26       -41.1144    0.9000  1.64769   33.84  0.5923
27       114.8214    0.3000
28*       64.8502    5.9302  1.84915   40.00  0.5694
29*      -84.3052     (d29)
30            ∞     1.4500  1.52301   58.59  0.5449
31            ∞        BF
[非球面データ]
28面        29面
K                0            0
A4      -1.83614E-0  1.84629E-06
A6      -1.50424E-1  4.19931E-11
A8                0  1.92462E-12
[各種データ]
INF
焦点距離     102.38
Fナンバー      1.46
全画角2ω     23.63
像高Y       21.63
レンズ全長   167.66
[可変間隔データ]
撮影距離      INF       995
d0            ∞  826.8724
d13      15.8705    3.0000
d29      37.5626   50.5468
BF        1.0000    1.0000
[レンズ群データ]
群       始面       焦点距離
G1         1         402.35
G2        14          86.34
G1a        1         307.15
G1b        8        -130.75
G1c       11         147.86
G2a       14         271.98
G2b       22          84.30
【実施例３】
【００９６】
図１１は、実施例３に係る大口径レンズの無限遠合焦時のレンズ構成図である。
【００９７】
図１１の大口径レンズは、無限遠物体から近距離物体へのフォーカシングの際に、像面に対し固定の正の屈折力を有する第１レンズ群Ｇ１とフォーカシングの際に像面側から物体側へ移動する正の屈折力を有する第２レンズ群Ｇ２から構成される。
【００９８】
第１レンズ群Ｇ１は、物体側から正の屈折力を有する第１ａレンズ群Ｇ１ａ、負の屈折力を有する第１ｂレンズ群Ｇ１ｂ、正の屈折力を有する第１ｃレンズ群Ｇ１ｃから構成される。
【００９９】
第１ａレンズ群Ｇ１ａは、物体側から、物体側に凸面を向けた正メニスカスレンズ３枚と物体側に凸面を向けた負メニスカスレンズから構成される。
【０１００】
第１ｂレンズ群Ｇ１ｂは物体側に凸面を向け、負の屈折力を有する接合レンズから構成される。
【０１０１】
第１ｃレンズ群Ｇ１ｃは、物体側に凸面を向け、正の屈折力を有する接合レンズから構成される。
【０１０２】
第２レンズ群Ｇ２は、物体側から正の屈折力を有する第２ａレンズ群Ｇ２ａ、開口絞りＳ、正の屈折力を有する第２ｂレンズ群Ｇ２ｂから構成される。
【０１０３】
第２ａレンズ群Ｇ２ａは物体側から、物体面に凸面を向けた正メニスカスレンズ２枚と、物体側に凸面を向けた負の屈折力を有する接合レンズから構成される。
【０１０４】
第２ｂレンズ群Ｇ２ｂは物体側から、物体側に凹面を向けた負の屈折力を有する接合レンズ２枚と、両レンズ面が非球面形状である両凸レンズから構成される。
【０１０５】
続いて、以下に実施例３に係る大口径レンズの諸元値を示す。
数値実施例3
単位：mm
[面データ]
面番号          r          d       nd      vd     PgF
物面              ∞     (d0)
1          140.0817   6.2300  1.65844   50.85  0.5574
2          323.3865   0.3000
3           96.3564   7.1418  1.43700   95.10  0.5335
4          195.4487   0.3000
5           70.7786   9.1061  1.43700   95.10  0.5335
6          177.0092   4.7886
7          292.1758   2.2000  1.61340   44.27  0.5633
8           59.1273   9.0589
9          162.9902   5.9737  1.43700   95.10  0.5335
10        -301.6999   1.8000  1.72047   34.71  0.5834
11          98.6498   1.0000
12          65.5095   9.9061  1.91082   35.25  0.5821
13        -308.8045   1.8000  1.65412   39.68  0.5737
14          73.0064    (d14)
15          54.7872   4.3652  1.92286   20.88  0.6388
16          90.6572   0.3000
17          51.3497   4.2449  1.55032   75.50  0.5400
18          80.0374   0.3000
19          42.4911   8.0775  1.59282   68.63  0.5441
20        -424.2628   1.3000  1.72825   28.32  0.6058
21          27.7117   7.7161
（絞り）            ∞   4.7515
23         -54.7992   0.9000  1.65412   39.68  0.5736
24          27.4844   7.9729  1.87071   40.73  0.5681
25        -237.1687   2.2922
26         -80.2746   3.1419  1.91082   35.25  0.5821
27         -40.3204   0.9000  1.64769   33.84  0.5923
28         136.8587   0.3000
29*          71.5761   4.9376  1.84915   40.00  0.5695
30*         -93.0490    (d30)
31               ∞   1.4500  1.52301   58.59  0.5449
32               ∞       BF
[非球面データ]
29面         30面
K                  0            0
A4      -1.49036E-06  1.82324E-06
A6       4.11465E-10  8.11154E-10
A8                 0  2.20680E-12
[各種データ]
INF
焦点距離       103.31
Fナンバ          1.46
全画角2ω       23.43
像高Y          21.63
レンズ全長     167.37
[可変間隔データ]
撮影距離        INF        994
d0              ∞   826.8724
d14         16.2501     3.0000
d30         37.5630    50.8731
BF          1.0000     1.0000
[レンズ群データ]
群        始面       焦点距離
G1         1          379.36
G2         15          87.79
G1a         1          511.83
G1b         9         -183.27
G1c         12         153.75
G2a         15         308.63
G2b         23          83.62
【実施例４】
【０１０６】
図１６は、実施例４に係る大口径レンズの無限遠合焦時のレンズ構成図である。
【０１０７】
図１６の大口径レンズは、無限遠物体から近距離物体へのフォーカシングの際に、像面に対し固定の正の屈折力を有する第１レンズ群Ｇ１とフォーカシングの際に像面側から物体側へ移動する正の屈折力を有する第２レンズ群Ｇ２から構成される。
【０１０８】
第１レンズ群Ｇ１は、物体側から正の屈折力を有する第１ａレンズ群Ｇ１ａ、負の屈折力を有する第１ｂレンズ群Ｇ１ｂ、正の屈折力を有する第１ｃレンズ群Ｇ１ｃから構成される。
【０１０９】
第１ａレンズ群Ｇ１ａは、物体側から、物体側に凸面を向けた正メニスカスレンズ２枚と物体側に凸面を向けた負メニスカスレンズから構成される。
【０１１０】
第１ｂレンズ群Ｇ１ｂは物体側に凹面を向け、負の屈折力を有する接合レンズから構成される。
【０１１１】
第１ｃレンズ群Ｇ１ｃは、物体側に凸面を向け、正の屈折力を有する接合レンズから構成される。
【０１１２】
第２レンズ群Ｇ２は、物体側から正の屈折力を有する第２ａレンズ群Ｇ２ａ、開口絞りＳ、正の屈折力を有する第２ｂレンズ群Ｇ２ｂから構成される。
【０１１３】
第２ａレンズ群Ｇ２ａは物体側から、物体面に凸面を向けた正メニスカスレンズ２枚と、物体側に凸面を向けた負の屈折力を有する接合レンズから構成される。
【０１１４】
第２ｂレンズ群Ｇ２ｂは物体側から、物体側に凹面を向けた負の屈折力を有する接合レンズ２枚と、両レンズ面が非球面形状である両凸レンズから構成される。
【０１１５】
続いて、以下に実施例４に係る大口径レンズの諸元値を示す。
数値実施例4
単位：mm
[面データ]
面番号       r         d        nd      vd     PgF
物面           ∞      (d0)
1        85.6120   12.3160  1.59282  68.63  0.5441
2       458.7719    0.3000
3        64.4906    7.5979  1.43700  95.10  0.5335
4       102.3846    6.2369
5       167.7157    2.2000  1.61340  44.27  0.5633
6        53.1815   15.5839
7      -182.2473    4.5069  1.43700  95.10  0.5335
8       -85.4275    1.8000  1.61340  44.27  0.5633
9     -9376.1589    1.0000
10       73.7526   10.2373  1.81600  46.62  0.5567
11     -154.9000    1.8000  1.61340  44.27  0.5633
12       76.2067     (d12)
13       75.5345    3.7216  1.92286  20.88  0.6388
14      130.7918    0.3000
15       49.6854    4.5433  1.72916  54.67  0.5452
16       80.6570    0.3000
17       37.9275    8.1019  1.59282  68.63  0.5441
18      579.3915    1.3000  1.69895  30.05  0.6028
19       27.4914    7.8083
20            ∞    6.0049
21      -41.7222    3.2790  1.59282  68.63  0.5441
22      -30.2996    0.9000  1.65412  39.68  0.5736
（絞り）  -161.8290    1.4463
24     -134.8107    4.7768  1.95375  32.32  0.5900
25      -31.5815    0.9000  1.68893  31.16  0.5989
26       92.3257    0.3000
27*       58.7797    7.0365  1.84915  40.00  0.5695
28*      -76.4136     (d28)
29            ∞    1.4500  1.52301  58.59  0.5449
30            ∞        BF
[非球面データ]
27面          28面
K                0             0
A4    -1.34538E-06   7.95788E-07
A6     7.16339E-10   6.26328E-10
A8               0  -1.26638E-13
[各種データ]
INF
焦点距離    101.85
Fナンバ       1.45
全画角2ω    23.87
像高Y       21.63
レンズ全長  170.09
[可変間隔データ]
撮影距離      INF         997
d0           ∞     826.8724
d12      15.7659       3.0000
d28      37.5800      50.2088
BF       1.0000       1.0000
[レンズ群データ]
群      始面     焦点距離
G1        1         435.00
G2       16          84.82
G1a        1         501.13
G1b        9        -226.65
G1c       13         206.03
G2a       16         160.12
G2b       24          99.95
【実施例５】
【０１１６】
図２１は、実施例５に係る大口径レンズの無限遠合焦時のレンズ構成図である。
【０１１７】
図２１の大口径レンズは、無限遠物体から近距離物体へのフォーカシングの際に、像面に対し固定の正の屈折力を有する第１レンズ群Ｇ１とフォーカシングの際に像面側から物体側へ移動する正の屈折力を有する第２レンズ群Ｇ２から構成される。
【０１１８】
第１レンズ群Ｇ１は、物体側から正の屈折力を有する第１ａレンズ群Ｇ１ａ、負の屈折力を有する第１ｂレンズ群Ｇ１ｂ、正の屈折力を有する第１ｃレンズ群Ｇ１ｃから構成される。
【０１１９】
第１ａレンズ群Ｇ１ａは、物体側から、物体側に凸面を向けた正メニスカスレンズ３枚と物体側に凸面を向けた負メニスカスレンズから構成される。
【０１２０】
第１ｂレンズ群Ｇ１ｂは物体側に凸面を向け、負の屈折力を有する接合レンズから構成される。
【０１２１】
第１ｃレンズ群Ｇ１ｃは、物体側に凸面を向け、正の屈折力を有する接合レンズから構成される。
【０１２２】
第２レンズ群Ｇ２は、物体側から正の屈折力を有する第２ａレンズ群Ｇ２ａ、開口絞りＳ、正の屈折力を有する第２ｂレンズ群Ｇ２ｂから構成される。
【０１２３】
第２ａレンズ群Ｇ２ａは物体側から、物体面に凸面を向けた正メニスカスレンズ２枚と、物体側に凸面を向けた負の屈折力を有する接合レンズから構成される。
【０１２４】
第２ｂレンズ群Ｇ２ｂは物体側から、物体側に凹面を向けた負の屈折力を有する接合レンズ２枚と、両レンズ面が非球面形状である両凸レンズから構成される。
【０１２５】
続いて、以下に実施例５に係る大口径レンズの諸元値を示す。
数値実施例5
単位：mm
[面データ]
面番号       r         d      nd      vd     PgF
物面          ∞     (d0)
1      128.0780   7.5613  1.65844   50.85  0.5574
2      403.3458   0.3000
3       88.1573   5.9855  1.43700   95.10  0.5335
4      134.9147   0.3000
5       67.9896   7.6133  1.43700   95.10  0.5335
6      119.9000   5.8068
7      209.5511   2.2000  1.61340   44.27  0.5633
8       58.6284  10.9201
9      415.7584   5.2502  1.59282   68.63  0.5441
10    -183.1569   1.8000  1.61340   44.27  0.5633
11      92.9849   1.0000
12      60.5606   9.1444  1.83481   42.72  0.5648
13    4282.4046   1.8000  1.63775   42.41  0.5605
14      73.3355    (d14)
15      68.7996   3.8932  1.92286   20.88  0.6388
16     118.4362   0.3000
17      51.0869   4.6608  1.55032   75.50  0.5400
18      89.6048   0.3000
19      45.0701   8.0241  1.59282   68.63  0.5441
20     739.4855   3.9890  1.85478   24.80  0.6122
21      31.9388   6.7882
（絞り）        ∞   4.1526
23     -61.9917   0.9000  1.60342   38.01  0.5827
24      30.9854   6.5784  1.95375   32.32  0.5900
25    1717.1833   2.8655
26     -82.2138   3.3632  1.91082   35.25  0.5821
27     -38.8028   0.9000  1.68893   31.16  0.5989
28     138.4029   0.3000
29*      70.0089   5.6683  1.84915   40.00  0.5695
30*     -91.0116    (d30)
31           ∞   1.4500  1.52301   58.59  0.5449
32           ∞       BF
[非球面データ]
29面          30面
K                 0             0
A4     -2.55803E-06   1.23327E-06
A6      2.30151E-10   9.20080E-10
A8                0   4.57577E-13
[各種データ]
INF
焦点距離   103.75
Fナンバ      1.46
全画角2ω   23.33
像高Y      21.63
レンズ全長 168.75
[可変間隔データ]
撮影距離     INF      995
d0          ∞   826.8724
d14     16.3846     3.0000
d30     37.5495    50.9341
BF      1.0000     1.0000
[レンズ群データ]
群      始面     焦点距離
G1       1        423.53
G2       15        87.44
G1a       1        486.54
G1b       9       -190.77
G1c       12       173.18
G2a       15       357.58
G2b       23        79.61
【実施例６】
【０１２６】
図２６は、実施例６に係る大口径レンズの無限遠合焦時のレンズ構成図である。
【０１２７】
図２６の大口径レンズは、無限遠物体から近距離物体へのフォーカシングの際に、像面に対し固定の正の屈折力を有する第１レンズ群Ｇ１とフォーカシングの際に像面側から物体側へ移動する正の屈折力を有する第２レンズ群Ｇ２から構成される。
【０１２８】
第１レンズ群Ｇ１は、物体側から正の屈折力を有する第１ａレンズ群Ｇ１ａ、負の屈折力を有する第１ｂレンズ群Ｇ１ｂ、正の屈折力を有する第１ｃレンズ群Ｇ１ｃから構成される。
【０１２９】
第１ａレンズ群Ｇ１ａは、物体側から、物体側に凸面を向けた正メニスカスレンズ３枚と物体側に凸面を向けた負メニスカスレンズから構成される。
【０１３０】
第１ｂレンズ群Ｇ１ｂは物体側に凹面を向け、物体側から凸レンズ，凹レンズ，凸レンズの３枚のレンズを接合した全体で負の屈折力を有する接合レンズから構成される。
【０１３１】
第１ｃレンズ群Ｇ１ｃは、物体側に凸面を向け、正の屈折力を有する接合レンズから構成される。
【０１３２】
第２レンズ群Ｇ２は、物体側から正の屈折力を有する第２ａレンズ群Ｇ２ａ、開口絞りＳ、正の屈折力を有する第２ｂレンズ群Ｇ２ｂから構成される。
【０１３３】
第２ａレンズ群Ｇ２ａは物体側から、物体面に凸面を向けた正メニスカスレンズ２枚と、物体側に凸面を向けた負の屈折力を有する接合レンズから構成される。
【０１３４】
第２ｂレンズ群Ｇ２ｂは物体側から、物体側に凹面を向けた負の屈折力を有する接合レンズ２枚と、両レンズ面が非球面形状である両凸レンズから構成される。
【０１３５】
続いて、以下に実施例６に係る大口径レンズの諸元値を示す。
数値実施例6
単位：mm
[面データ]
面番号       r         d       nd      vd     PgF
物面          ∞     (d0)
1      118.9921   9.1465  1.65844   50.85  0.5574
2      656.7877   0.3000
3       83.3810   5.3723  1.43700   95.10  0.5335
4      115.1062   0.3000
5       78.9460   5.8885  1.43700   95.10  0.5335
6      121.6933   5.5440
7      197.8334   2.2000  1.61310   44.36  0.5604
8       58.7612  12.5360
9     -792.9935   3.7355  1.43700   95.10  0.5335
10    -168.2895   1.0000  1.61310   44.36  0.5604
11      76.1452   5.1013  1.59282   68.63  0.5441
12     200.5086   1.0000
13      65.1634   9.4130  1.80420   46.50  0.5571
14    -455.9270   1.8000  1.63775   42.41  0.5605
15      81.5353    (d15)
16      57.9913   3.8042  1.94595   17.98  0.6544
17      85.7121   0.3000
18      51.9245   4.4942  1.59282   68.63  0.5441
19      88.4075   0.3000
20      41.6033   8.5657  1.59282   68.63  0.5441
21    5998.9072   1.3000  1.74077   27.76  0.6076
22      27.3712   7.7711
（絞り）        ∞   4.2715
24     -59.8055   0.9000  1.56732   42.84  0.5742
25      28.9313   7.0145  1.87071   40.73  0.5681
26   10064.4349   2.8390
27     -81.6714   2.6665  1.91082   35.25  0.5821
28     -44.4966   0.9000  1.69895   30.05  0.6028
29     161.7882   0.3000
30*      75.8764   9.2642  1.88202   37.22  0.5768
31*    -8.55E+01    (d31)
32          ∞    1.4500  1.52301   58.59  0.5449
33          ∞       BF
[非球面データ]
30面         31面
K                0            0
A4    -2.53189E-06  9.94955E-07
A6               0  2.18739E-10
A8               0  1.07296E-12
[各種データ]
INF
焦点距離   102.18
Fナンバ      1.46
全画角2ω   23.71
像高Y      21.63
レンズ全長 173.83
[可変間隔データ]
撮影距離     INF      1001
d0          ∞   826.8724
d15     15.7872     3.0000
d31     37.5630    50.4102
BF      1.0000     1.0000
[レンズ群データ]
群      始面     焦点距離
G1       1        399.50
G2       16        87.42
G1a       1        484.04
G1b       9       -206.30
G1c       13       182.69
G2a       16       373.38
G2b       24        79.93
【実施例７】
【０１３６】
図３１は、実施例７に係る大口径レンズの無限遠合焦時のレンズ構成図である。
【０１３７】
図３１の大口径レンズは、無限遠物体から近距離物体へのフォーカシングの際に、像面に対し固定の正の屈折力を有する第１レンズ群Ｇ１とフォーカシングの際に像面側から物体側へ移動する正の屈折力を有する第２レンズ群Ｇ２から構成される。
【０１３８】
第１レンズ群Ｇ１は、物体側から正の屈折力を有する第１ａレンズ群Ｇ１ａ、負の屈折力を有する第１ｂレンズ群Ｇ１ｂ、正の屈折力を有する第１ｃレンズ群Ｇ１ｃから構成される。
【０１３９】
第１ａレンズ群Ｇ１ａは、物体側から、物体側に凸面を向けた正メニスカスレンズ３枚と物体側に凸面を向けた負メニスカスレンズから構成される。
【０１４０】
第１ｂレンズ群Ｇ１ｂは物体側に凹面を向け、負の屈折力を有する接合レンズから構成される。
【０１４１】
第１ｃレンズ群Ｇ１ｃは、物体側に凸面を向け、正の屈折力を有する接合レンズから構成される。
【０１４２】
第２レンズ群Ｇ２は、物体側から正の屈折力を有する第２ａレンズ群Ｇ２ａ、開口絞りＳ、正の屈折力を有する第２ｂレンズ群Ｇ２ｂから構成される。
【０１４３】
第２ａレンズ群Ｇ２ａは物体側から、物体面に凸面を向けた正メニスカスレンズ２枚と、物体側に凸面を向けた負の屈折力を有する接合レンズから構成される。
【０１４４】
第２ｂレンズ群Ｇ２ｂは物体側から、物体側に凹面を向けた負の屈折力を有する接合レンズ２枚と、両レンズ面が非球面形状である両凸レンズから構成される。
【０１４５】
続いて、以下に実施例７に係る大口径レンズの諸元値を示す。
数値実施例7
単位：mm
[面データ]
面番号       r         d       nd      vd     PgF
物面          ∞     (d0)
1      102.4036   5.5582  1.65844  50.85  0.5574
2      149.2820   0.3000
3       74.5000   9.4445  1.43700  95.10  0.5335
4      158.9528   0.3000
5       79.5482   9.0637  1.43700  95.10  0.5335
6      241.3612   4.3160
7      387.4299   2.2000  1.61340  44.27  0.5633
8       53.8748  14.6956
9     -265.8666   4.3917  1.43700  95.10  0.5335
10    -103.1399   1.8000  1.61340  44.27  0.5633
11    -500.0000   1.0000
12      73.5443  10.6775  1.83481  42.72  0.5648
13    -149.8448   1.8000  1.61340  44.27  0.5633
14      73.8135    (d14)
15      69.4099   3.7022  1.92286  20.88  0.6388
16     114.7865   0.3000
17      47.6366   4.6001  1.55032  75.50  0.5400
18      79.7832   0.3000
19      43.6382   7.2273  1.59282  68.63  0.5441
20    3165.0277   1.5512  1.71736  29.50  0.6034
21      29.3287   7.3681
（絞り）        ∞   4.6152
23     -50.6131   0.9000  1.65412  39.68  0.5737
24      28.8753   7.8896  1.87071  40.73  0.5681
25    -471.6988   2.4139
26     -88.4472   3.8604  1.91082  35.25  0.5821
27     -34.6117   0.9000  1.67270  32.17  0.5962
28     121.0744   0.3000
29*      68.0671   5.0259  1.84915  40.00  0.5695
30*     -88.4873    (d30)
31           ∞   1.4500  1.52301  58.59  0.5449
32           ∞       BF
[非球面データ]
29面           30面
K               0              0
A4   -1.16039E-06    2.13317E-06
A6    7.86933E-11    4.73264E-10
A8              0    1.59334E-12
[各種データ]
INF
焦点距離   101.85
Fナンバ      1.46
全画角2ω   23.85
像高Y      21.63
レンズ全長 172.51
[可変間隔データ]
撮影距離     INF       999
d0          ∞  826.8724
d15     15.9931    3.0000
d30     37.5630   50.6161
BF      1.0000    1.0000
[レンズ群データ]
群      始面     焦点距離
G1       1        305.79
G2       15        91.08
G1a       1       1067.88
G1b       9       -470.59
G1c       12       196.54
G2a       15       294.36
G2b       23        91.54
【実施例８】
【０１４６】
図３６は、実施例８に係る大口径レンズの無限遠合焦時のレンズ構成図である。
【０１４７】
図３６の大口径レンズは、無限遠物体から近距離物体へのフォーカシングの際に、像面に対し固定の正の屈折力を有する第１レンズ群Ｇ１とフォーカシングの際に像面側から物体側へ移動する正の屈折力を有する第２レンズ群Ｇ２から構成される。
【０１４８】
第１レンズ群Ｇ１は、物体側から正の屈折力を有する第１ａレンズ群Ｇ１ａ、負の屈折力を有する第１ｂレンズ群Ｇ１ｂ、正の屈折力を有する第１ｃレンズ群Ｇ１ｃから構成される。
【０１４９】
第１ａレンズ群Ｇ１ａは、物体側から、物体側に凸面を向けた正メニスカスレンズ３枚と物体側に凸面を向けた負メニスカスレンズから構成される。
【０１５０】
第１ｂレンズ群Ｇ１ｂは物体側に凹面を向け、負の屈折力を有する接合レンズから構成される。
【０１５１】
第１ｃレンズ群Ｇ１ｃは、物体側に凸面を向け、正の屈折力を有する接合レンズから構成される。
【０１５２】
第２レンズ群Ｇ２は、物体側から正の屈折力を有する第２ａレンズ群Ｇ２ａ、開口絞りＳ、正の屈折力を有する第２ｂレンズ群Ｇ２ｂから構成される。
【０１５３】
第２ａレンズ群Ｇ２ａは物体側から、物体面に凸面を向けた正メニスカスレンズ２枚と、物体側に凸面を向けた負の屈折力を有する接合レンズから構成される。
【０１５４】
第２ｂレンズ群Ｇ２ｂは物体側から、物体側に凹面を向けた負の屈折力を有する接合レンズ２枚と、両レンズ面が非球面形状である両凸レンズから構成される。
【０１５５】
続いて、以下に実施例８に係る大口径レンズの諸元値を示す。
数値実施例8
単位：mm
[面データ]
面番号        r         d       nd      vd     PgF
物面           ∞     (d0)
1        90.2454   7.8712  1.65844   50.85  0.5574
2       167.6210   0.3000
3        76.2920   5.6698  1.43700   95.10  0.5335
4       100.7741   0.3000
5        72.9762  10.0895  1.43700   95.10  0.5335
6       231.4844   2.0000
7       157.4610   2.2000  1.63775   42.41  0.5605
8        46.8356  17.1883
9      -182.8104   3.7870  1.43700   95.10  0.5335
10      -98.0729   1.8000  1.63775   42.41  0.5605
11     -500.0000   1.0000
12       59.9826  10.5828  1.80420   46.50  0.5571
13     -343.9519   1.8000  1.63775   42.41  0.5605
14       66.2039    (d14)
15       62.9670   4.3362  1.92286   20.88  0.6388
16      118.1340   0.3000
17       54.1666   3.9883  1.59282   68.63  0.5441
18       81.0490   0.3000
19       43.7504   8.4873  1.59282   68.63  0.5441
20     -207.2733   1.3000  1.69895   30.05  0.6028
21       28.3650   7.5794
（絞り）         ∞   4.9939
23      -49.6245   0.9000  1.65412   39.68  0.5737
24       30.7397   8.5593  1.87071   40.73  0.5681
25     -229.5974   2.1096
26      -90.0548   3.7067  1.91082   35.25  0.5821
27      -36.1967   0.9000  1.67270   32.17  0.5962
28      127.5561   0.3000
29*       70.3380   4.9106  1.84915   40.00  0.5695
30*      -91.4394    (d30)
31            ∞   1.4500  1.52301   58.59  0.5449
32            ∞       BF
[非球面データ]
29面          30面
K                0             0
A4    -1.05290E-06    1.94516E-06
A6     2.36212E-10    6.27849E-10
A8               0    7.62259E-13
[各種データ]
INF
焦点距離    101.85
Fナンバ       1.46
全画角2ω    23.76
像高Y       21.63
レンズ全長  173.00
[可変間隔データ]
撮影距離      INF      1000
d0           ∞  826.8724
d15      15.7304    3.0000
d30      37.5626   50.3245
BF       1.0000    1.0000
[レンズ群データ]
群      始面      焦点距離
G1        1        371.80
G2       15         87.20
G1a        1        849.37
G1b        9       -316.40
G1c       12        195.15
G2a       15        259.88
G2b       23         86.77
【０１５６】
以下に上記の各実施例に対応する条件式対応値を示す。
ex1     ex2     ex3     ex4
(1)-3.8＜ΦG1b/ΦG1＜-0.5   -0.793  -3.077  -2.070  -1.919
(2)0.18＜ΦG1/Φ＜0.50       0.305   0.254   0.272   0.234
(3)3.0＜ΦG2/ΦG1＜7.5       3.706   4.660   4.321   5.129
(4)0.8＜νdL1bp1*ΔPgFL1bp    5.35    5.35    5.35    5.35
(5)0.015＜ΔPgFG1Pave       0.0326  0.0326  0.0333  0.0310
(6)ΔPgFG1Nave＜-0.0020    -0.0063 -0.0053 -0.0037 -0.0053
(7)0.010＜ΔPgFG2aPave      0.0188  0.0250  0.0250  0.0142
(8)1.85＜NdL2ap1           1.92286 1.92286 1.92286 1.92286
(9)0.02＜ΔPgFL2ap1         0.0281  0.0281  0.0281  0.0281
ex5     ex6     ex7     ex8
(1)-3.8＜ΦG1b/ΦG1＜-0.5   -2.220  -1.937  -0.650  -1.175
(2)0.18＜ΦG1/Φ＜0.50       0.245   0.256   0.333   0.274
(3)3.0＜ΦG2/ΦG1＜7.5       4.844   4.570   3.358   4.263
(4)0.8＜νdL1bp1*ΔPgFL1bp    1.32    1.32    5.35    5.35
(5)0.015＜ΔPgFG1Pave       0.0252  0.0302  0.0326  0.0324
(6)ΔPgFG1Nave＜-0.0020    -0.0074 -0.0092 -0.0053 -0.0115
(7)0.010＜ΔPgFG2aPave      0.0250  0.0257  0.0250  0.0222
(8)1.85＜NdL2ap1           1.92286 1.94595 1.92286 1.92286
(9)0.02＜ΔPgFL2ap1         0.0281  0.0384  0.0281  0.0281
【符号の説明】
【０１５７】
Ｇ１        第１レンズ群
Ｇ２        第２レンズ群
Ｇ１ａ      第１ａレンズ群
Ｇ１ｂ      第１ｂレンズ群
Ｇ１ｃ      第１ｃレンズ群
Ｇ２ａ      第２ａレンズ群
Ｇ２ｂ      第２ｂレンズ群
ＬＰＦ      ローパスフィルタ
Ｉ          像面
Ｓ          開口絞り
【図１】
2019144477.tif 000004
【図２】
2019144477.tif 000005
【図３】
2019144477.tif 000006
【図４】
2019144477.tif 000007
【図５】
2019144477.tif 000008
【図６】
2019144477.tif 000009
【図７】
2019144477.tif 000010
【図８】
2019144477.tif 000011
【図９】
2019144477.tif 000012
【図１０】
2019144477.tif 000013
【図１１】
2019144477.tif 000014
【図１２】
2019144477.tif 000015
【図１３】
2019144477.tif 000016
【図１４】
2019144477.tif 000017
【図１５】
2019144477.tif 000018
【図１６】
2019144477.tif 000019
【図１７】
2019144477.tif 000020
【図１８】
2019144477.tif 000021
【図１９】
2019144477.tif 000022
【図２０】
2019144477.tif 000023
【図２１】
2019144477.tif 000024
【図２２】
2019144477.tif 000025
【図２３】
2019144477.tif 000026
【図２４】
2019144477.tif 000027
【図２５】
2019144477.tif 000028
【図２６】
2019144477.tif 000029
【図２７】
2019144477.tif 000030
【図２８】
2019144477.tif 000031
【図２９】
2019144477.tif 000032
【図３０】
2019144477.tif 000033
【図３１】
2019144477.tif 000034
【図３２】
2019144477.tif 000035
【図３３】
2019144477.tif 000036
【図３４】
2019144477.tif 000037
【図３５】
2019144477.tif 000038
【図３６】
2019144477.tif 000039
【図３７】
2019144477.tif 000040
【図３８】
2019144477.tif 000041
【図３９】
2019144477.tif 000042
【図４０】
2019144477.tif 000043